(57)【要約】【課題】  コード類や、それに接続された大きな電気器具等でも、天板の下方に容易に挿通し得るとともに、長さの異なる閉塞部材でも簡単に回動可能に装着し得るようにする。  【解決手段】  開口部１１の後方における机本体の上部に、前面上部に左右方向を向く係止溝９を有する横フレーム３を設け、前記係止溝９に、支持部材１７を着脱可能に係合するとともに、この支持部材１７の上部に、可撓性の閉塞部材２６を、開口部１１を閉塞する水平の閉塞位置と、開口部１１を開放するほぼ垂直な開放位置との間を回動し得るように枢着する。【選択図】  図２
2005137713.tif 000002
【特許請求の範囲】
【請求項１】
天板の下方に形成された配線スペースの上方の開口部を、可撓性の閉塞部材により覆ってなる配線機能付き机において、
前記開口部の後方における机本体の上部に、前面上部に左右方向を向く係止溝を有するフレーム部材を設け、前記係止溝に、支持部材を着脱可能に係合するとともに、該支持部材に、前記閉塞部材を、前記開口部を閉塞する水平な閉塞位置と、開口部を開放するほぼ垂直な開放位置との間を回動し得るように枢着したことを特徴とする配線機能付き机。
【請求項２】
支持部材の前端部下面に、フレーム部材の前面下部に設けた左右方向を向く凹条溝と係脱し得る弾性係合片を、下向きに突設した請求項１に記載の配線機能付き机。
【請求項３】
支持部材に、閉塞部材の枢着部より前方の下面と当接して、該閉塞部材を閉塞位置に停止させる水平のストッパ部と、閉塞部材の枢着部より後方の下面が当接して、閉塞部材を開放位置に停止させるほぼ垂直なストッパ部とを設けた請求項１または２に記載の配線機能付き机。
【請求項４】
支持部材が、フレーム部材に取付けられるベース支持具と、その上端に、左右方向を向く枢軸により回転自在に取付けられた回転支持具とからなり、かつ回転支持具の上面に上向き突設された前後１対の弾性支持片の上端の係合爪を、閉塞部材の後端部下面に形成した凹部内の前後１対の突部に係合することにより、閉塞部材を、支持部材に回動可能に取付けた請求項１ないし３のいずれかに記載の配線機能付き机。
【請求項５】
閉塞部材の後端上部を、枢着部よりも後方に延出し、その延出部を、閉塞部材を上向きに回動させる操作部とした請求項１ないし４のいずれかに記載の配線機能付き机。
【発明の詳細な説明】
【技術分野】
【０００１】
本発明は、天板上に載置したＯＡ機器等のコード類や比較的大きな電気器具等を、天板の下方に挿通し得るようにした配線機能付き机に関する。
【背景技術】
【０００２】
この種の机としては、天板の後端部に配線挿通孔を設け、その部分に着脱可能に取付けた複数のカバーの一部を取外して、ＯＡ機器等のコード類を天板の下方の配線ダクトに配線したり、カバーの一部を薄肉とし、その部分を切除して開口することにより、コード類を下方に配線し得るようにしたものなどがある。
【０００３】
このような机では、一部のカバーを取外したり、薄肉部を切除したりするのが面倒であるとともに、コード類の挿通個所が限定され、ＯＡ機器等から最短距離で配線できないという問題がある。
【０００４】
また、カバーを取外したり、薄肉部を切除したりして形成された開口は、大きさが限られているため、コード類に接続したプラグやコンセント等の大きな電気器具を挿通することができないという問題もある。
【０００５】
このような問題を解決するものとして、奥行き寸法の大きな前方天板の後部に、奥行き寸法の小さな後方天板（閉塞部材）を、互いの対向間に隙間が形成されるように後端を枢支し、後方天板を上向きに回動させることにより、両天板間を大きく開口し、その開口より、コード類を接続したままの電気機器をくぐらせて、前方天板上に載置し得るようにした机がある（例えば特許文献１参照）。
【０００６】
【特許文献１】実公昭６０−２２８１９号公報
【発明の開示】
【発明が解決しようとする課題】
【０００７】
上記特許文献に記載されている従来の机においては、前後の天板の対向面に、前後方向に弾性変形可能な縁材を設け、電気機器のコード等を狭持するようになっている。そのため、太さの大きいコード類のみを、縁材を弾性変形させて下方に配線するのは困難であり、その際にも後方天板を上向きに回動させる必要があり、配線作業が面倒となる。
【０００８】
また、後方天板は、その左右両側端が左右の側脚の対向面に枢支されているため、後方天板の左右寸法が両側脚間の寸法とほぼ等しいものしか使用できず、左右寸法の小さな後方天板を使用できないという問題もある。
【０００９】
本発明は、上記問題点を解決するためになされたもので、コード類や、それに接続された大きな電気器具等でも、天板の下方に容易に挿通し得るとともに、長さの異なる閉塞部材でも簡単に回動可能に装着することができるようにした配線機能付き机を提供することを目的としている。
【課題を解決するための手段】
【００１０】
上記課題を解決するために、本発明の請求項１に記載の配線機能付き机は、天板の下方に形成された配線スペースの上方の開口部を、可撓性の閉塞部材により覆ってなる配線機能付き机において、
前記開口部の後方における机本体の上部に、前面上部に左右方向を向く係止溝を有するフレーム部材を設け、前記係止溝に、支持部材を着脱可能に係合するとともに、該支持部材に、前記閉塞部材を、前記開口部を閉塞する水平な閉塞位置と、開口部を開放するほぼ垂直な開放位置との間を回動し得るように枢着したことを特徴としている。
この特徴によれば、小さなコード類は、閉塞部材を水平の閉塞位置のまま撓ませることで、容易に下方に配線することができる。
また、閉塞部材をほぼ垂直な開放位置に回動することにより、コード類に接続された大きな電気器具等でも容易に下方に挿通することができる。
さらに、閉塞部材は、フレーム部材の前面の係止溝に着脱可能に係合された支持部材により回動可能に枢着されているため、左右方向の任意の位置を支持部材を介してフレーム部材に回動可能に支持することができ、従って、長さの異なる閉塞部材でも簡単に装着することができる。
【００１１】
本発明の請求項２に記載の配線機能付き机は、請求項１に記載の配線機能付き机であって、支持部材の前端部下面に、フレーム部材の前面下部に設けた左右方向を向く凹条溝と係脱し得る弾性係合片を、下向きに突設することを特徴としている。
この特徴によれば、支持部材をフレーム部材に安定して取付けることができるとともに、支持部材の取外しも容易となる。
【００１２】
本発明の請求項３に記載の配線機能付き机は、請求項１または２に記載の配線機能付き机であって、支持部材に、閉塞部材の枢着部より前方の下面と当接して、該閉塞部材を閉塞位置に停止させる水平のストッパ部と、閉塞部材の枢着部より後方の下面が当接して、閉塞部材を開放位置に停止させるほぼ垂直なストッパ部とを設けることを特徴としている。
この特徴によれば、支持部材が閉塞部材を閉塞位置と開放位置とに停止させるストッパを兼ねているので、別部材としてのストッパ部材を設ける必要がなく、部品点数や組付工数が削減される。
【００１３】
本発明の請求項４に記載の配線機能付き机は、請求項１ないし３のいずれかに記載の配線機能付き机であって、支持部材が、フレーム部材に取付けられるベース支持具と、その上端に、左右方向を向く枢軸により回転自在に取付けられた回転支持具とからなり、かつ回転支持具の上面に上向き突設された前後１対の弾性支持片の上端の係合爪を、閉塞部材の後端部下面に形成した凹部内の前後１対の突部に係合することにより、閉塞部材を、支持部材に回動可能に取付けることを特徴としている。
この特徴によれば、閉塞部材を上方から押圧するだけで、回転支持具の弾性係合片に簡単に係合させて取付けることができる。
【００１４】
本発明の請求項５に記載の配線機能付き机は、請求項１ないし４のいずれかに記載の配線機能付き机であって、閉塞部材の後端上部を、枢着部よりも後方に延出し、その延出部を、閉塞部材を上向きに回動させる操作部とすることを特徴としている。
この特徴によれば、操作部を下向きに押動することにより、閉塞部材を開放位置に容易に回動させることができる。
【発明を実施するための最良の形態】
【００１５】
以下、本発明の実施形態を図面に基づいて説明する。
【００１６】
図１は、本発明の配線機能付き机の斜視図、図２は、図１のII−II線の拡大縦断側面図である。机本体１は、側面視前向きコ字状の左右１対の側脚２，２と、その後端の脚柱２ａの上端の対向面間に固着された横フレーム３と、上記両側脚２の上面に載置して固定された天板４と、左右の側脚２の後端の対向面と横フレーム３の後端下面との間に嵌め込まれた幕板５とを備えている。６は、側脚２の後部の側面を覆う側板である。
【００１７】
横フレーム３は、上面の後端縁にカバー片７が立設された概ね縦長の角筒状断面をなし、全体がアルミニウム合金等の押し出し成形品よりなっている。カバー片７の上部は、上端に前方を向く上片７ａを有する側面視コ字状をなしている。
【００１８】
カバー片７の下部前面には、突条８が長手方向に全長にわたって突設され、その下面には、上向きの係止溝９が形成されている。また、カバー片７のコ字状部の下面には、幕板５の上端部が嵌合される嵌合溝１０が形成されている。
【００１９】
天板４の後端と横フレーム３との間には、所定幅の開口部１１が形成され、その下方の配線スペースには、開口部１１よりも幅広の上向きコ字状の配線ダクト１２が、その後部の上向片１２ａの上端の下向係止部１２ｂを、横フレーム３の前面の凹状係止部１３に係止することにより、着脱可能に取付けられている。
【００２０】
横フレーム３におけるカバー片７の下端と連続する上端面には、図３にも示すように、前端部下面に下向きの弾性係合片１４を有する側面視概ねＬ字状の合成樹脂製のベース支持具１５と、それに回動自在に取付けられた回転支持具１６とからなる左右１対の支持部材１７が設けられている。
【００２１】
ベース支持具１５は、水平をなす下片１５ａの後端の上向突条１８を、上記カバー片７の係止溝９に下方より嵌合するとともに、弾性係合片１４の下端の係合爪１４ａを、横フレーム３の上端部の前面に形成した左右方向を向く凹条溝１９に弾性係合することにより、横フレーム３に着脱可能に取付けられている。
【００２２】
ベース支持具１５の上部の左右両端には、図４にも示すように、左右方向を向く軸孔２０を有する１対の取付片２１が上向きに突設されている。また、上向片１５ｂの前面上部には、後記する閉塞部材２６を水平の閉塞位置で停止させるストッパ片２２が前向きに連設されている。
【００２３】
回転支持具１６の水平をなす基片１６ａの前後の端部上面には、前後１対の弾性支持片２３，２３が、上向きに突設され、また基片１６ａの中央部上面の上向突部２４の左右両端には、左右方向を向く枢軸２５，２５が、一体的に突設されている。
【００２４】
回転支持具１６の枢軸２５を除いた左右寸法は、上記ベース支持具１５の両取付片２１間に挿入し得る寸法とされている。
【００２５】
ベース支持具１５の両取付片２１を外側方に弾性変形させて、上記両枢軸２５を軸孔２０に嵌合することにより、回転支持具１６は、ベース支持具１５の上部に回転自在に取付けられている。なお、２６は、上記開口部を閉塞する閉塞部材で、硬質合成樹脂製の基部２７と、可撓部２８とからなっている。
【００２６】
基部２７の下面には、上向きの凹部２９が左右方向に全長にわたって形成され、その内部の対向面には、係止突部３０，３０が対向状に突設されている。
【００２７】
また、基部２７の前端には、下部のものが上部のものよりも短寸とされた上下１対の保持片３１，３１が、左右方向に全長にわたって前向きに突設されている。上部の保持片３１の下面中央には、下向突条３１ａが長手方向に向かって突設されている。
【００２８】
可撓部２８は、可撓性を有する例えばナイロン繊維を水平かつ前後方向を向くように多数並べて束ね、ブラシ状に形成したもので、その後端は、止め金具３２により狭着されている。この止め金具３２を、上記の保持片３１間に嵌合し、下向突条３１ａよりも奥部に位置させることにより、可撓部２８は抜け止めされて基部２７に固定される。
【００２９】
閉塞部材２６は、基部２７の凹部２９の左右両端部を、左右１対の支持部材１７における回転支持具１６の前後の弾性支持片２３に上方より嵌合し、その上端の外向きの係止爪２３ａを、凹部２９の係止突部３０に弾性的に係合させることにより、支持部材１７を介して、横フレーム３の上端部前面に回動可能に取付けられている。
【００３０】
取付後の閉塞部材２６は、基部２７の下面がベース支持具１５のストッパ片２２の上面に当接することにより、水平の閉塞位置に保持され、また基部２７の凹部２９よりも後方に延出された操作部３３の下面が、ベース支持具１５の上向片１５ｂの後面のストッパ面３４に当接することにより、閉塞部材２６は、図２の２点鎖線で示すように、ほぼ垂直な開放位置に保持されるようになっている。
【００３１】
閉塞部材２６を上向きに回動させる際は、操作部３３をした向きに押動することにより、容易に行うことができる。
【００３２】
ＯＡ機器等の比較的小さなコード類を開口部１１の下方に配線する際は、閉塞部材２６を水平の閉塞位置のまま、可撓部２８を側方に撓ませ、隙間を形成して行うことができる。
【００３３】
また、コード類に接続された大きな電気器具等は、閉塞部材２６を開放位置まで回動することにより、容易に配線ダクト１２内に収容することができる。
【００３４】
以上説明したように、上記実施形態において、閉塞部材２６は、横フレーム３の係止溝９に着脱可能に取付けられた支持部材１７により回動可能に枢着されているので、左右両側の任意の位置を左右１対の支持部材１７を介して横フレーム３に回動可能に支持することができる。
【００３５】
従って、閉塞部材２６の左右長を、開口部１１の左右寸法や、脚柱２ａ間の離間寸法に対応して自由に選択し、それを簡単に装着することができる。
【００３６】
なお、上記実施形態においては、閉塞部材２６に、ブラシ状の可撓部２８を有するものを用いているが、軟質合成樹脂等よりなる可撓性の平板状の閉塞部材を用いてもよい。
【図面の簡単な説明】
【００３７】
【図１】本発明の配線機能付き机の斜視図である。
【図２】図１のII−II線に沿う拡大縦断側面図である。
【図３】支持部材と閉塞部材との組付け前の側面図である。
【図４】支持部材のベース支持具と回転支持具との組付け後の正面図である。
【符号の説明】
【００３８】
１            机本体    
２            側脚
２ａ          脚柱    
３            横フレーム（フレーム部材）
４            天板    
５            幕板    
６            側板
７            カバー片
７ａ          上片
８            突条
９            係止溝    
１０          嵌合溝    
１１          開口部
１２          配線ダクト
１２ａ        上向片
１２ｂ        下向係止部
１３          凹状係止部
１４          弾性係合片
１４ａ        係合爪    
１５          ベース支持具
１５ａ        下片
１５ｂ        上向片    
１６          回転支持具
１６ａ        基片    
１７          支持部材
１８          上向突条    
１９          凹条溝      
２０          軸孔    
２１          取付片    
２２          ストッパ片（ストッパ部）    
２３          弾性支持片
２３ａ        係止爪    
２４          上向突部    
２５          枢軸    
２６          閉塞部材    
２７          基部    
２８          可撓部
２９          凹部    
３０          係止突部
３１          保持片
３１ａ        下向突条
３２          止め金具    
３３          操作部    
３４          ストッパ面（ストッパ部）    
【図１】
2005137713.tif 000003
【図２】
2005137713.tif 000004
【図３】
2005137713.tif 000005
【図４】
2005137713.tif 000006